(57)【要約】  【課題】  トイレ空間本来の使用目的である排泄を行いたい人によるトイレ空間の使用に対して支障をきたすことがないように、トイレ空間を使用する使用者をリラックス状態へと導くために必要とする期間、または覚醒状態へと導くために必要とする期間を短縮することが可能なトイレ空間の環境制御システムを提供することを目的とする。  【解決手段】  トイレ空間は、使用者が着座する着座部を有する大便器を備えた個室空間と、個室空間内に設置され、その個室空間内の照度または色温度を変更可能な第１の照明装置と、第１の照明装置を制御する制御装置と、を備え、制御装置は、第１の照明装置の照度または色温度を変更することで、個室空間内の照度または色温度を低下させる照明リラックス制御、又は、個室空間内の照度または色温度を上昇させる照明覚醒制御を有し、第１の照明装置の少なくとも一部は、着座部の中央よりも前方側に設けられる。【選択図】  図１
2020077608.tif 000002
【特許請求の範囲】
【請求項１】
使用者が着座する着座部を有する大便器を備えた個室空間と、
前記個室空間内に設置され、該個室空間内の照度または色温度を変更可能な第１の照明装置と、
前記第１の照明装置を制御する制御装置と、を備えたトイレ空間において、
前記制御装置は、前記第１の照明装置の照度または色温度を変更することで、前記個室空間内の照度または色温度を低下させる照明リラックス制御、または、前記個室空間内の照度または色温度を上昇させる照明覚醒制御を有し、
前記第１の照明装置の少なくとも一部は、前記着座部の中央よりも前方側に設けられることを特徴とするトイレ空間の環境制御システム。
【請求項２】
前記第１の照明装置は、前記着座部の正面に設けられた前記個室空間の壁面から前記第１の照明装置までの水平方向の距離よりも、前記第１の照明装置から前記着座部の中央までの水平方向の距離の方が短くなるように、前記個室空間内に設置されることを特徴とする請求項１に記載のトイレ空間の環境制御システム。
【請求項３】
前記第１の照明装置は、前記着座部に着座した使用者の視野から外れる位置に設置されることを特徴とする請求項１または２に記載のトイレ空間の環境制御システム。
【請求項４】
前記個室空間は、前記トイレ空間に複数配設され、
前記第１の照明装置は、該第１の照明装置による光が、前記個室空間と隣接する別の前記個室空間内の照度または色温度に影響を及ぼさないように設置されることを特徴とする請求項１乃至３の何れか一項に記載のトイレ空間の環境制御システム。
【請求項５】
前記個室空間は、前記トイレ空間に複数配設され、
前記個室空間内に設置された前記第１の照明装置による光が、該個室空間と隣接する別の前記個室空間内の照度または色温度に影響を及ぼさないように、隣接しあう前記個室空間は遮光性のある仕切り部によって仕切られていることを特徴とする請求項１乃至３の何れか一項に記載のトイレ空間の環境制御システム。
【請求項６】
前記トイレ空間は、前記第１の照明装置を複数備え、
複数の前記第１の照明装置は、前記着座部の中央よりも左方側と右方側にそれぞれ設けられることを特徴とする請求項１乃至５の何れか一項に記載のトイレ空間の環境制御システム。
【請求項７】
前記トイレ空間は、
前記個室空間内に設置され、前記個室空間内の照度または色温度を変更可能な第２の照明装置を備え、
前記制御装置は、前記照明リラックス制御または前記照明覚醒制御において前記前記第１の照明装置と共に前記第２の照明装置の照度または色温度を制御し、
前記第２の照明装置の少なくとも一部は、前記着座部の中央よりも後方側に設けられることを特徴とする請求項１乃至５の何れか一項に記載のトイレ空間の環境制御システム。
【請求項８】
前記第１の照明装置は、前記着座部の上方側に設置され、前記第２の照明装置は、前記着座部の下方側に設置されることを特徴とする請求項７に記載のトイレ空間の環境制御システム。
【請求項９】
前記制御装置は、前記照明覚醒制御を実行する場合、前記第１の照明装置の照度または色温度を前記第２の照明装置の照度または色温度よりも高くなるように制御することを特徴する請求項７または８に記載のトイレ空間の環境制御システム。
【請求項１０】
前記トイレ空間は、
前記個室空間内に映像を出力する映像出力装置を備え、
前記制御装置は、前記照明リラックス制御または前記照明覚醒制御に合わせて、前記映像出力装置によって出力する映像の内容を制御することを特徴とする請求項１乃至９の何れか一項に記載のトイレ空間の環境制御システム。
【請求項１１】
前記映像出力装置は、前記個室空間の床面から８５０ｍｍから１１００ｍｍの高さ位置に映像を出力することを特徴とする請求項１０に記載のトイレ空間の環境制御システム。
【発明の詳細な説明】
【技術分野】
【０００１】
開示の実施形態は、トイレ空間の環境制御システムに関する。
【背景技術】
【０００２】
近年、働きやすさの追求のため、在宅勤務をはじめとしたリモートワークを推進する動きが活発化している。その一方で、リモートワークが常になることによって面と向かってのコミュニケーションを取る機会が減り、その結果、生産性が低下することが危惧されている。そのため、現在は、働きやすさを追求すると共に、生産性が低下することがないように、これまで以上にオフィスでの生産性の向上が求められている。
【０００３】
ところで、オフィスでの生産性を向上させるためには、生体が活性化しており作業を集中して行うことが可能な覚醒状態と、生体が鎮静化しており疲労感を回復することが可能なリラックス状態との切り替えを適切に行うことが有効であることが知られている。そのため、従来から執務室の照明は、生体を活性化させる効果のある高照度の照明を使用し、休憩室の照明は、生体を鎮静化させる効果のある低照度の照明を使用することが、２０１０年のJIS照度基準では推奨されていた。
【０００４】
一方で、生体の鎮静化と活性化による作業性の向上はオフィスに限らず、例えば高速道路のサービスエリア等の公共施設においても必要性は高い。例えばサービスエリアにおいて自動車の運転者には休息が必要であるが、運転の再開の際には集中力が求められる。
【０００５】
これらに対して、一度リラックス状態になってしまうと、再び作業を集中して行うことが可能な覚醒状態になるまでに期間を必要とするため、休憩直後は集中して作業を行うことができず生産性が低下してしまうという課題が知られている。
この課題に対して、特許文献１には、生体を鎮静化させる刺激を与えた直後に生体を活性化させる刺激を与えることで、一度リラックス状態になった人を再び集中して作業を行うことが可能な覚醒状態にするまでに必要とする期間を短縮することが記載されている。
【先行技術文献】
【特許文献】
【０００６】
【特許文献１】特開平２−２１３５６８号公報
【非特許文献】
【０００７】
【非特許文献１】萩原啓、荒木和典、道盛章弘、“短期間リフレッシュ法とその生理的評価”、[online]、平成３年６月１日発行、人間工学第２７巻特別号、[平成３０年８月２８日検索]、インターネット＜URL：https://www.jstage.jst.go.jp/article/jje１９６５/２７/Supplement/２７_Supplement_２0６/_article＞
【発明の概要】
【発明が解決しようとする課題】
【０００８】
しかし、特許文献１に記載されたような、使用者の緊張をほぐすように導くリラックス誘導装置と、使用者に意識の水準を高めるような適度の刺激を与えるリフレッシュ刺激装置とを備えた特別な個室空間を導入することは、空間の制約や費用の面で実現性に乏しかった。そこで本発明者らは、元々個室空間を備えているトイレ空間を利用し、特許文献１に記載の制御を行うことで空間や費用の面での導入のハードルを下げることを思い付いた。
【０００９】
しかしながら、特許文献１と同じ開発者によって同時期に発表された非特許文献１によると、一度リラックス状態になった人を再び集中して作業を行うことが可能な覚醒状態にするまでには、特許文献１に記載された制御によって短縮されてもなお１０〜２０分を必要としていた。そのため、特許文献１に記載された制御をそのままトイレ空間に適用すると、一人当たりのトイレ空間の占有期間が長くなり過ぎることにより、トイレ空間本来の使用目的である排泄を行いたい人によるトイレ空間の使用に支障をきたすという新たな課題が生じた。
【００１０】
開示の実施形態は、このような課題を解決するものであり、トイレ空間本来の使用目的である排泄を行いたい人によるトイレ空間の使用に対して支障をきたすことがないように、トイレ空間を使用する使用者をリラックス状態へと導くために必要とする期間、または覚醒状態へと導くために必要とする期間を短縮することが可能なトイレ空間の環境制御システムを提供することを目的とする。
【課題を解決するための手段】
【００１１】
上記の課題を解決するために、実施形態の一態様に係るトイレ空間の環境制御システムにおいて、使用者が着座する着座部を有する大便器を備えた個室空間と、個室空間内に設置され、その個室空間内の照度または色温度を変更可能な第１の照明装置と、第１の照明装置を制御する制御装置と、を備えたトイレ空間において、制御装置は、第１の照明装置の照度または色温度を変更することで、個室空間内の照度または色温度を低下させる照明リラックス制御、または、個室空間内の照度または色温度を上昇させる照明覚醒制御を有し、第１の照明装置の少なくとも一部は、着座部の中央よりも前方側に設けられる。
【００１２】
特許文献１において、一度リラックス状態になった人を再び集中して作業を行うことが可能な覚醒状態にするまでに１０〜２０分という長い期間を必要としていた。その理由の一つに、リラックス制御時、または覚醒制御時において、使用者の視覚に効果的に刺激を与えられる位置に第１の照明装置が配置されていなかったことが挙げられる。
【００１３】
実施形態の一態様によれば、個室空間内に設けられた第１の照明装置の少なくとも一部を、着座部の中央よりも前方側に設置したことによって、第１の照明装置による直接光が確実に使用者の視覚に作用するようにした。つまり、着座部の上方向に存在する使用者の頭部に対して、第１の照明装置による光は、使用者の頭部などに遮られることなく使用者の視覚に作用する。これによって、使用者を鎮静化または活性化するための視覚刺激を効果的に与えられるため、使用者をリラックス状態または覚醒状態にするために必要とする時間を短縮することが可能なトイレ空間の環境制御システムを提供できるようになる。
【００１４】
実施形態の一態様に係るトイレ空間の環境制御システムにおいて、第１の照明装置は、着座部の正面に設けられた個室空間の壁面から第１の照明装置までの水平方向の距離よりも、第１の照明装置から着座部の中央までの水平方向の距離の方が短くなるように、個室空間内に設置される。
【００１５】
実施形態の一態様によれば、着座部の正面に設けられた個室空間の壁面から第１の照明装置までの水平方向の距離よりも、着座部の中央から第１の照明装置までの水平方向の距離の方が短い位置に第１の照明装置を設置するため、第１の照明装置から使用者の視覚までの距離を短くすることが可能となり、第１の照明装置による直接光がより確実に使用者の視覚に作用する。これによって、使用者を鎮静化または活性化するための視覚刺激を効果的に与えられるため、使用者をリラックス状態または覚醒状態にするために必要とする時間をより確実に短縮することが可能なトイレ空間の環境制御システムを提供できるようになる。
【００１６】
実施形態の一態様に係るトイレ空間の環境制御システムにおいて、第１の照明装置は、着座部に着座した使用者の視野から外れる位置に設置される。
【００１７】
実施形態の一態様によれば、第１の照明装置は、着座部に着座した使用者の視界から外れる位置に設置されるため、使用者が第１の照明装置自体を直接見てしまうことに伴う眼精疲労により、使用者の目がチカチカしてしまうおそれを低減することができる。これによって、使用者を鎮静化または活性化するための視覚刺激を効果的に与える際に使用者に不快感を与えること無く、使用者をリラックス状態または覚醒状態にすることが可能なトイレ空間の環境制御システムを提供できるようになる。
【００１８】
実施形態の一態様に係るトイレ空間の環境制御システムにおいて、個室空間は、トイレ空間内に複数配設され、第１の照明装置は、その第１の照明装置による光が、その個室空間と隣接する別の個室空間内の照度または色温度に影響を及ぼさないように設置される。
【００１９】
実施形態の一態様によれば、トイレ空間内に複数の個室空間が配設された場合において、ある個室空間内に設置された第１の照明装置による光が、その個室空間と隣接する別の個室空間内の照度または色温度に影響を及ぼさないように設置される。これによって、隣の個室空間を使用している使用者が実行している制御によって、自分の個室空間内の照度または色温度が変化するおそれがなくなるため、使用者をリラックス状態または覚醒状態にするという目的を担保できるトイレ空間の環境制御システムを提供できるようになる。
【００２０】
実施形態の一態様に係るトイレ空間の環境制御システムにおいて、個室空間は、トイレ空間内に複数配設され、個室空間内に設置された第１の照明装置による光が、その個室空間と隣接する別の個室空間内の照度または色温度に影響を及ぼさないように、隣接しあう個室空間は遮光性のある仕切り部によって仕切られている。
【００２１】
実施形態の一態様によれば、トイレ空間内に複数の個室空間が配設された場合において、隣接しあう個室空間同士を遮光性のある仕切り部によって仕切ることで、ある個室空間内で実行されている照明リラックス制御または照明覚醒制御による照度または色温度の変化が、隣接する別の個室空間内の照度または色温度に影響を及ぼすおそれがないようにしている。これによって、隣の個室空間を使用している使用者が実行している制御によって、自分の個室空間内の照度または色温度が変化するおそれがなくなるため、使用者をリラックス状態または覚醒状態にするという目的を担保できるトイレ空間の環境制御システムを提供できるようになる。
【００２２】
実施形態の一態様に係るトイレ空間の環境制御システムにおいて、トイレ空間は、第１の照明装置を複数備え、その複数の第１の照明装置は、着座部の中央よりも左方側と右方側にそれぞれ設けられる。
【００２３】
実施形態の一態様によれば、個室空間内に設けられた複数の第１の照明装置を、着座部の中央よりも左方側と右方側にそれぞれ配置したことによって、第１の照明装置による光の影響が均一化するようにした。これによって、使用者の目線に関わらず、使用者を鎮静化または活性化するための視覚刺激を与えられるため、使用者をリラックス状態または覚醒状態にするために必要とする時間をより短縮することが可能なトイレ空間の環境制御システムを提供できるようになる。
【００２４】
実施形態の一態様に係るトイレ空間の環境制御システムにおいて、トイレ空間は、個室空間内に設置され、個室空間内の照度または色温度を変更可能な第２の照明装置を備え、制御装置は、照明リラックス制御または照明覚醒制御において前記第１の照明装置と共に第２の照明装置の照度または色温度を制御し、第２の照明装置の少なくとも一部は、着座部の中央よりも後方側に設けられる。
【００２５】
実施形態の一態様によれば、個室空間内に設けられた第２の照明装置の少なくとも一部を、着座部の中央よりも後方側に配置したことによって、第２の照明装置による直接光が使用者の視覚に作用しにくいようにした。つまり、着座部の上方向に存在する使用者の頭部に対して、第２の照明装置による光は、使用者の頭部や大便器などによって遮られた後に、使用者の視覚に作用する。これによって、直接光を積極的に使用者の視覚に作用させる第１の照明装置による光と、直接光を積極的に使用者の視覚に作用させない第２の照明装置による光とを組み合わせて、個室空間内の照度または色温度を細やかに変更できる。
【００２６】
そのため、個室空間内の照度または色温度を下げることで使用者に対する視覚刺激を低下させる照明リラックス制御に対しては、第２の照明装置による視覚刺激の低い間接光を積極的に用いたり、個室空間内の照度または色温度を上げることで使用者に対する視覚刺激を上昇させる照明覚醒制御に対しては、第１の照明装置による視覚刺激の高い直接光を積極的に用いたりすることができるようになる。これによって、使用者を鎮静化または活性化するための視覚刺激をより効果的に与えられるため、使用者をリラックス状態または覚醒状態にするために必要とする時間をより短縮することが可能なトイレ空間の環境制御システムを提供できるようになる。
【００２７】
実施形態の一態様に係るトイレ空間の環境制御システムにおいて、第１の照明装置は、着座部の上方側に設置され、第２の照明装置は、着座部の下方側に設置される。
【００２８】
実施形態の一態様によれば、第１の照明装置は着座部の上方に設置されるため、第１の照明装置による光が使用者の下肢部などに遮られるおそれがなくなり、より確実に使用者に直接光による視覚刺激を与えられるようになる。また、第２の照明装置は着座部の下方に設置されるため、第２の照明装置による光が使用者の頭部に光が届くまでの経路に存在する大便器などで遮られる可能性が高まり、より確実に使用者に間接光のみによる視覚刺激を与えられるようになる。これによって、照明覚醒制御において、視覚刺激の高い直接光をより確実に与えることができると共に、照明リラックス制御において、視覚刺激の高い直接光をより確実に与えないことができるため、使用者をリラックス状態または覚醒状態にするために必要とする時間を確実に短縮することが可能なトイレ空間の環境制御システムを提供できるようになる。
【００２９】
実施形態の一態様に係るトイレ空間の環境制御システムにおいて、制御装置は、照明覚醒制御を実行する場合、第１の照明装置の照度または色温度を第２の照明装置の照度または色温度よりも高くなるように制御する。
【００３０】
実施形態の一態様によれば、使用者に対する視覚刺激を上昇させる照明覚醒制御を実行する場合において、第１の照明装置による照度または色温度を第２の照明装置の照度または色温度よりも高くすることで、第１の照明装置による視覚刺激の高い直接光をより積極的に使用者に与えることができるようになる。これによって、照明覚醒制御において、より視覚刺激の高い直接光を確実に与えることができるため、使用者を覚醒状態にするために必要とする時間を短縮することが可能なトイレ空間の環境制御システムを提供できるようになる。
【００３１】
実施形態の一態様に係るトイレ空間の環境制御システムにおいて、トイレ空間は、個室空間内に映像を出力する映像出力装置を備え、制御装置は、照明リラックス制御または照明覚醒制御に合わせて映像出力装置によって出力する映像の内容を制御する。
【００３２】
個室空間内の照明装置を制御することで変更する照度または色温度に基づく視覚刺激は、大脳皮質を経由して大脳辺縁系に伝達されることで血圧を変動させ、自律神経に影響を及ぼす。また、個室空間内に出力する映像内容に基づく視覚刺激は、使用者の記憶や感性などの既存の脳内情報と結合して精神生理反応を引き起こすことで自律神経に影響を及ぼす。
【００３３】
実施形態の一態様によれば、個室空間内に設置された照明装置の照度または色温度を制御することで実行する照明リラックス制御または照明覚醒制御に合わせて、出力する映像の内容を変更可能な映像出力装置を設けた。これによって、個室空間内の使用者に、照明と映像による異なる複数の視覚刺激を与えることが可能となり、使用者をリラックス状態または覚醒状態にするために必要とする時間をより短縮することが可能なトイレ空間の環境制御システムを提供できるようになる。
【００３４】
実施形態の一態様に係るトイレ空間の環境制御システムにおいて、映像出力装置は、少なくとも個室空間の床面から８５０ｍｍから１１００ｍｍの高さ位置に映像を出力する。
【００３５】
着座部を有する大便器において、個室空間の床面から着座部までの高さは、各メーカーで大きく異なることなく約３５０ｍｍ程度の高さで形成されている。また、個室空間の床面から着座部に着座した使用者の目線の高さは、女性および男性の座高の平均の高さから約１００ｍｍを引いた、７５０ｍｍから８００ｍｍの高さであることが知られている。そして、本件発明者らは、着座部に着座した使用者の目線の先は、目線の高さに対してやや下方に向けられていることが一般的であることを見出した。
【００３６】
実施形態の一態様によれば、映像出力装置が個室空間の床面から８５０ｍｍから１１００ｍｍの高さ位置に映像を出力するため、大便器の着座部に着座した時の男性および女性の目線の高さである１１００ｍｍから１１５０ｍｍよりもやや下方に映像を出力することが可能となった。これによって、個室空間内の使用者に、照明と映像による異なる複数の視覚刺激をより効果的に与えることが可能となり、使用者をリラックス状態または覚醒状態にするために必要とする時間をより短縮することが可能なトイレ空間の環境制御システムを提供できるようになる。
【発明の効果】
【００３７】
実施形態の一態様によれば、トイレ空間本来の使用目的である排泄を行いたい人によるトイレ空間の使用に対して支障をきたすことがないように、トイレ空間を使用する使用者をリラックス状態へと導くために必要とする期間、または覚醒状態へと導くために必要とする期間を短縮することが可能なトイレ空間の環境制御システムを提供することができる。
【図面の簡単な説明】
【００３８】
【図１】図１は、実施形態に係るトイレ空間の環境制御システムが設けられたトイレ空間の側面図である。
【図２】図２は、実施形態に係るトイレ空間の環境制御システムが設けられたトイレ空間の斜視図である。
【図３】図３は、実施形態に係るトイレ空間の環境制御システムにおいて、制御装置が実行する制御の概念図を模式的に示した図である。
【図４】図４は、実施形態に係るトイレ空間の環境制御システムにおいて、制御装置が実行する制御の一例を示すフローチャートである。
【図５】図５は、実施形態に係るトイレ空間の環境制御システムにおいて、制御装置が実行するリラックス制御の一例を示すフローチャートである。
【図６】図６は、実施形態に係るトイレ空間の環境制御システムにおいて、制御装置が実行する覚醒制御の一例を示すフローチャートである。
【図７】図７は、実施形態に係るトイレ空間の環境制御システムにおいて、制御装置が実行するリラックス制御の一例を示すタイムチャートである。
【図８】図８は、実施形態に係るトイレ空間の環境制御システムにおいて、制御装置が実行する覚醒制御の一例を示すタイムチャートである。
【図９】図９は、実施形態に係るトイレ空間の環境制御システムにおいて、制御装置が実行するリフレッシュ制御の一例を示すタイムチャートである。
【図１０】図１０は、第１実施例に係るトイレ空間の環境制御システムにおいて、個室空間内に設置される第１の照明装置及び第２の照明装置の拡大図である。
【図１１】図１１は、第２実施例に係るトイレ空間の環境制御システムにおいて、個室空間内に設置される第１の照明装置及び第２の照明装置の拡大図である。
【図１２】図１２は、第３実施例に係るトイレ空間の環境制御システムにおいて、個室空間内に設置される第１の照明装置及び第２の照明装置の拡大図である。
【図１３】図１３は、実施形態に係るトイレ空間の環境制御システムの実証試験において、映像出力装置が個室空間内に出力する映像の高さ位置に対する視認性についてアンケートを行った実証試験現場の概念図である。
【図１４】図１４は、実施形態に係るトイレ空間の環境制御システムの実証試験において、映像出力装置が個室空間内に出力する映像の高さ位置に対する視認性についてのアンケート結果である。
【図１５】図１５は、実施形態に係るトイレ空間の環境制御システムが設けられたトイレ空間内に設置された個室空間の上面図である。
【発明を実施するための形態】
【００３９】
以下で説明する実施形態は、いずれも本開示の一実施形態を示すものである。以下の実施形態で示される構成要素、構成要素の配置位置及び接続形態、ステップ、ステップの順序などはあくまで一例であり、本発明を限定するものではない。また、以下の実施形態における構成要素のうち、本開示の最上位概念を示す独立請求項に記載されていない構成要素については、任意の構成要素として説明される。また、図面において同じ符号が付いたものは、説明を省略する場合がある。
【００４０】
図１は、実施形態に係るトイレ空間の環境制御システムが設けられたトイレ空間内に設置された個室空間の側面図である。
図２は、実施形態に係るトイレ空間の環境制御システムが設けられたトイレ空間の斜視図である。
図１５は、実施形態に係るトイレ空間の環境制御システムが設けられたトイレ空間内に設置された個室空間の上面図である。
【００４１】
図１、図２及び図１５に示すように、トイレ空間の環境制御システム１００は、第１の照明装置２００と、制御装置４００とを有する。さらに、第２の照明装置２２０と、映像出力装置３００と、混雑検知装置５００（図示無し）と、報知装置６００（図示無し）を有することが好ましい。
【００４２】
第１の照明装置２００及び第２の照明装置２２０は、トイレ空間内において着座部１を有する大便器３が備えられた個室空間５に設置され、個室空間５内の照度または色温度を変更可能な照明である。このために、第１の照明装置２００及び第２の照明装置２２０は、例えば、異なる照度または色温度に調光可能な単一のLEDや、異なる照度または色温度を有する複数のLEDなどの照明機器を備える。また、第１の照明装置２００及び第２の照明装置２２０は、電球形状の照明機器に限られず、パネル形状や棒形状の照明機器であってもよい。なお、第１の照明装置２００及び第２の照明装置２２０は、個室空間内にそれぞれ単数設置してもよいが、複数設置してもよい。
【００４３】
第１の照明装置２００は、少なくともその一部が着座部１の中央であるA―A線よりも、個室空間５の前方側に設けられることが好ましい。これによって、使用者が着座部１に着座した際に、着座部１の中央の上方向に存在する使用者の頭部に対して、その前方から光による視覚刺激を与えることが可能となる。つまり、使用者の頭部や大便器３などの障害物によって、使用者の視覚に届くまでに光が遮られるおそれが減り、障害物に当たり弱まることのない第１の照明装置２００の直接光による視覚刺激を使用者に対して与えることが可能となる。
なお、開示の実施形態の説明において使用する「直接光」とは、「光源から照射面までの間に障害物が何もなく、光源からの光が直接的に照射面に当たる光」のことのである。
【００４４】
また、第１の照明装置２００は、着座部１の正面に設けられた個室空間５の壁面から、第１の照明装置２００までの距離であるYよりも、着座部の中央であるA−A線から第１の照明装置２００までの距離であるXの方が短くなる位置に設置されることが好ましい。これによって、第１の照明装置２００から、着座部１の中央の上方向に存在する使用者の頭部までの距離が短くなるため、使用者の視覚に届くまでに光が遮られるおそれが減り、障害物に当たり弱まることのない第１の照明装置２００の直接光による視覚刺激を使用者に対して確実に与えることが可能となる。なお、個室空間５の壁面は、個室空間５に入退室するための扉であっても良い。
【００４５】
そして、第１の照明装置２００は、着座部１に着座した使用者の視野から外れた位置に設けられることが好ましい。これによって、使用者が第１の照明装置２００の光源自体を直接目にすることに起因する眼精疲労により、目がチカチカしてしまうおそれを低減することができる。なお、視野とは、「目を動かさずに見える範囲」であると一般的に定義されており、ここでいう着座部１に着座した使用者の視野とは、着座部１に着座した使用者が、使用者の正面に設けられた個室空間５を向いたときに目を動かさずに見える範囲である。
なお、人間の視野は、左右方向に約１８０度から２００度、上方向に約６０度、下方向に約７０度であることが一般的に知られている。
【００４６】
さらに、第１の照明装置２００は、着座部１の上方側に設けられることが好ましい。これによって、使用者の下肢部などの着座部の下方に存在する障害物によって、使用者の視覚に届くまでに光が遮られるおそれが減り、障害物に当たり弱まることのない第１の照明装置２００の直接光による視覚刺激をより確実に使用者に対して与えることが可能となる。
【００４７】
第２の照明装置２２０は、少なくともその一部が着座部１の中央であるA−A線よりも個室空間５の後方側に設けられることが好ましい。これによって、使用者が着座部１に着座した際に、着座部１の中央の上方向に存在する使用者の頭部に対して、その後方から光による視覚刺激を与えることが可能となる。つまり、使用者の頭部や大便器３などの障害物によって、使用者の視覚に届くまでに光が遮られるようになり、第２の照明装置２２０の直接光が障害物に当たり反射することで弱まった間接光による視覚刺激を積極的に使用者に対して与えることが可能となる。そのため、直接光を積極的に使用者の視覚に作用させる第１の照明装置２００による光と、直接光を積極的に使用者の視覚に作用させない第２の照明装置２２０による光とを組み合わせることで、個室空間５内の照度または色温度を細やかに変更できるようになる。
なお、開示の実施形態の説明において使用する「間接光」とは、「光源から照射面までの間に大便器や使用者の頭部といった障害物が存在し、光源からの光が間接的に照射面に当たる光」のことのである。
【００４８】
さらに好ましくは、第２の照明装置２２０は、着座部１の下方側に設けられることが好ましい。これによって、着座部１の上方側に設けられるよりも使用者の視覚に光が届くまでの距離が遠くなることにより、第２の照明装置２２０の直接光が個室空間５の壁面や床面に当たる可能性が高くなるため、障害物に当たり反射することで弱まった第２の照明装置２２０の間接光による視覚刺激のみを使用者に対して与えることが可能となる。
【００４９】
映像出力装置３００は、トイレ空間内において大便器３が備えられた個室空間５内に静止画または動画による映像を出力する装置である。このために、映像出力装置３００は、例えば、個室空間５内の壁面に取り付けられるLCD（液晶ディスプレイ）やOLED（有機ELディスプレイ）等の表示装置や、個室空間内に映像を投影するプロジェクタなどを備える。表示装置の表示面のサイズやプロジェクタにより投影する映像のサイズに制限はないが、使用者の視野全体に広がる大きなサイズとするとより視覚的効果を得ることができる。なお、動画出力装置３００は出力する映像に関連する音を映像と共に出力してもよい。
【００５０】
制御装置４００は、第１の照明装置２００、の照度または色温度を制御する装置である。また、制御装置４００は、及び第２の照明装置２２０の照度または色温度を制御する装置である。また、映像出力装置３００が出力する静止画または動画による映像の出力も制御する装置であることが好ましい。
【００５１】
制御装置４００は、自動操作または手動操作に基づいて制御指示を第１の照明装置２００、第２の照明装置２２０、及び映像出力装置３００に送信する。このために、制御装置４００は、例えば、自動操作のために予め制御指示が記憶されたメモリや、使用者の手動操作に対応して制御指示を決めるための入力ボタンや、使用者の手動操作による操作量に対応して制御指示を決めるための入力ダイヤル及び入力バーなどからの入力情報を受信する受信部を備える。そして、受信した制御指示を第１の照明装置２００、第２の照明装置２２０及び映像出力装置３００に送信するための送信部などを備える。
【００５２】
混雑検知装置５００は、トイレ空間内の混雑状況を検知する装置である。混雑検知装置５００は、個室空間５外である洗面台などが設けられた共有空間における使用者の有無や、他の個室空間５内における使用者の有無などを検知したりする装置である。混雑検知装置５００によって検知された混雑状況に関する情報を利用することで、制御装置４００によって実行される各制御にかかる期間をトイレ空間の混雑状況に応じて短縮することができる。
【００５３】
例えば、混雑検知装置５００によってトイレ空間内が混んでいることが検知された場合、制御装置４００は、使用者をリラックス状態または覚醒状態に導くための各制御の実行期間を短縮したり、各制御を実行することを禁止（＝制御の実行期間をゼロに短縮）したりできるようになる。これによって、トイレ空間本来の使用目的である排泄を行いたい使用者による個室空間５の利用に支障をきたすことを防止できる。このために、混雑検知装置５００は、例えば、カメラやドアセンサ、人体検知センサ、着座検知センサ、位置情報を取得出来る電子機器などを用いることができる。
【００５４】
ドアセンサとしては、例えば、個室空間のドアにマグネットセンサや変位センサ、振動センサなどの検出手段を用いることができる。これによって、他の個室空間におけるドアの開閉状態を検知し、使用者の有無から混雑状況を推測できる。
また、人体検知センサとしては、例えば、赤外線ラインセンサやマイクロ波センサなどの検出手段を用いることができる。これによって、個室空間の出入口付近に滞在している使用者の有無を検知し、個室空間を使用したい使用者の有無から混雑状況を検知できる。
また、着座検知センサとしては、例えば、歪みセンサや圧力センサ、赤外線センサなどの検知手段を用いることができる。これによって、他の個室空間における使用者の着座状態を検知し、使用者の有無から混雑状況を推測できる。
また、位置情報を取得できる電子機器としては、例えば、測位センサを備えた電子機器とトイレ空間内の機器が、光通信や無線通信で電子情報を共有することができる。これによって、電子機器を所有した使用者の場所を検知し、混雑状況を推測できる。
【００５５】
報知装置６００は、使用者をリラックス状態または覚醒状態に導くための各制御が実行された際に、個室空間５内の人に当該制御時間の残り時間を報知したり、個室空間５外の共有空間で個室空間５の使用を待つ人に当該制御の実行状態を報知したりする装置である。報知装置６００にはLCD（液晶表示装置）やOLED（有機ELディスプレイ）等の表示装置や、光の色や配置、点滅周期等を変化させることができるLED等の照明装置を用いることができ、個室空間５内や共有空間内の壁面などに配置される。当該制御が実行されると、制御装置４００は、報知装置６００に当該制御にかかる情報を送信し、報知装置はこれを表示させる。報知装置には、例えば当該制御の実行の有無や当該制御の終了までの残り時間等があげられる。
【００５６】
また、図２に示すように、複数の個室空間５が排泄されたトイレ空間において、隣接しあう個室空間５は、仕切り部７によって仕切られている。
【００５７】
仕切り部７は、ある個室空間５内に設けられた第１の照明装置２００および第２の照明装置による光が、隣の個室空間５内の照度および色温度に影響を及ぼさないようにするためのものであり、遮光性を有する素材によって形成されている。
【００５８】
また、仕切り部７は、個室空間５の上端および下端にまで延在していることが好ましい。これによって、第１の照明装置２００および第２の照明装置２２０が、個室空間５の着座部１よりも上方側および下方側に設けられていたとしても、隣の個室空間５の照度および色温度に影響を及ぼすことを防止することができる。なお、仕切り部７は、個室空間５の壁面として形成されていても良い。
【００５９】
また、図１５に示すように、個室空間５内に複数の第１の照明装置２００が設けられる場合、複数の第１の照明装置２００は、着座部１の中央よりも左方側と右方側にそれぞれ設けられることが好ましい。これによって、個室空間５内の照度および色温度をより均一化することが可能となり、使用者の目線に関わらず、狙った視覚効果を使用者に与えることができる。なお、第２の照明装置２２０に対しても同様である。
【００６０】
また、個室空間５の形状は四角形に限られず、六角形の様に両側が広がる形状とし、使用者に広々とした印象を与えることで、使用者をリラックス状態に導く効果を高めることを狙っても構わない。
【００６１】
図３は、実施形態に係るトイレ空間の環境制御システムにおいて、制御装置が実行する制御の概念図を模式的に示した図である。以下、図３を参照しつつ、開示の実施形態において、制御装置が実行する３つの制御パターンについて説明する。
【００６２】
（第１の制御パターン：リラックス制御）
第１の制御パターンは、リラックス制御４２０である。リラックス制御４２０は、第１の照明装置２００及び第２の照明装置２２０による照明リラックス制御４２２と、映像出力装置３００による映像リラックス制御４２４と、照明リラックス制御４２２及び映像リラックス制御４２４を実行する期間を重複させる複合リラックス制御４２６とを備える。
【００６３】
リラックス制御４２０は、使用者の疲労感を低下させることを目的とした制御であり、照明リラックス制御４２２、映像リラックス制御４２４または複合リラックス制御４２６を実行することで、使用者の生体を鎮静化させることが可能となる。
【００６４】
照明リラックス制御４２２は、第１の照明装置２００及び第２の照明装置２２０の照度を低照度に変更したり、色温度を暖色系などの低い色温度に変更したりすることで、個室空間内の照度または色温度を低下させ、視覚刺激を低下させる制御である。これによって、人の精神状態を副交感神経が優位なリラックス側へ導き生体を鎮静化させる。
【００６５】
また、照明リラックス制御４２２においては、使用者への視覚刺激が弱い程、使用者を短時間でリラックス状態にすることができるため、視覚刺激の強い直接光を与えてしまう第１の照明装置２００の照度または色温度を、第２の照明装置２２０の照度または色温度よりも低くすることが好ましい。
【００６６】
映像リラックス制御４２４は、アルファ波減衰試験（Alpha Attenuation Test：AAT）を行った際に、アルファ波の出現量が少なく、アルファ波の減衰が顕著に表れなかった映像（第１の映像）を映像出力装置３００に出力させる制御である。これによって、人の精神状態を副交感神経が優位なリラックス側へ推移させる。
【００６７】
なお、アルファ波減衰試験とは、閉眼安静時のアルファ波出現量と、開眼時のアルファ波の減衰が、生体の活性度に対応して変動する特性を利用し、安静状態で閉眼と開眼を反復することによって生じるアルファ波の出現量、及び、アルファ波の減衰から生体の活性度を数値指標化する評価手法である。例えば、所定期間任意の映像を見せた後にこの試験を実施して生体の活性度を判定することで、映像リラックス制御に適した映像を選定することができる。
【００６８】
この試験を行った結果、映像リラックス制御４２４において出力する映像として適した映像とは、例えば、自然の森の映像のように、色温度が低く、動きが無い又は動きが殆ど無いことから視覚刺激の少ない映像や、平均的な人に安らぎや平穏といったものを想起させることで生体をリラックス側へ導く精神生理的反応を引き起こす映像であった。
【００６９】
複合リラックス制御４２６は、照明リラックス制御４２２及び映像リラックス制御４２４を実行する期間を重複させて行う制御である。これによって、少なくとも第１の照明装置２００と映像出力装置３００による複数の異なる視覚刺激が連動し、相乗効果を得ることが可能となる。そのため、複合リラックス制御４２６を実行することで、照明リラックス制御４２２または映像リラックス制御４２４を実行するときよりも短期間で使用者の生体を鎮静化させることが可能となる。
【００７０】
（第２の制御パターン：覚醒制御）
第２の制御パターンは、覚醒制御４４０である。覚醒制御４４０は、第１の照明装置２００及び第２の照明装置２２０による照明覚醒制御４４２と、映像出力装置３００による映像覚醒制御４４４と、照明覚醒制御４４２及び映像覚醒制御４４４を実行する期間を重複させる複合覚醒制御４４６とを備える。
【００７１】
覚醒制御４４０は、使用者の集中力を高めることを目的とした制御であり、照明覚醒制御４４２、映像覚醒制御４４４または複合覚醒制御４４６を実行することで、使用者の生体を活性化させることが可能となる。
【００７２】
照明覚醒制御４４２は、第１の照明装置２００及び第２の照明装置２２０の照度を高照度に変更したり、色温度を寒色系などの高い色温度に変更したりすることで、個室空間内の照度または色温度を上昇させる制御である。これによって、人の精神状態を交感神経が優位な覚醒側へ導き生体を活性化させる
【００７３】
また、照明覚醒制御４４２においては、使用者への視覚刺激が強い程、使用者を短時間で覚醒状態にすることができるため、視覚刺激の高い直接光を与えることが可能な第１の照明装置２００の照度または色温度を、第２の照明装置２２０の照度または色温度よりも高くすることが好ましい。
【００７４】
映像覚醒制御４４４は、アルファ波減衰試験（Alpha Attenuation Test：AAT）を行った際に、アルファ波の出現量が多く、アルファ波の減衰が顕著に表れた映像（第２の映像）を映像出力装置３００に出力させる制御である。これによって、人の精神状態を交感神経が優位な覚醒側へ推移させる。
【００７５】
この試験を行った結果、映像覚醒制御４４４において出力する映像として適した映像とは、例えば、自然の海の映像の様に、色温度が高く、映像に動きがあることから視覚刺激の多い映像や、平均的な人に緊張や不安、あるいは好奇心や探求心といったものを想起させることで生体を覚醒側へ導く精神生理的反応を引き起こす映像であった。
【００７６】
複合覚醒制御４４６は、照明覚醒制御４４２及び映像覚醒制御４４４を実行する期間を重複させて行う制御である。これによって、少なくとも第１の照明装置２００と映像出力装置３００による複数の異なる視覚刺激が連動し、相乗効果を得ることが可能となる。そのため、複合覚醒制御４４６を実行することで、照明覚醒制御４４２または映像覚醒制御４４４を実行するときよりも短時間で使用者の生体を活性化させることが可能となる。
【００７７】
（第３の制御パターン：リフレッシュ制御）
第３の制御パターンは、リフレッシュ制御４６０である。リフレッシュ制御４６０は、上述したリラックス制御４２０を実行した直後に、同じく上述した覚醒制御４４０を実行する制御である。
【００７８】
図４は、実施形態に係るトイレ空間の環境制御システムにおいて、制御装置が実行する制御の一例を示すフローチャートである。以下、図４を参照しつつ、実施形態に係るトイレ空間の環境制御システムにおける制御フローを説明する。
【００７９】
ステップS４０１において、使用者による個室空間５内への入室、または、使用者による個室空間５内の大便器３の着座部１に着座を検知する。これによって個室空間５内に使用者が存在することが検知されたとき、次のステップS４０２に移行する。なお、個室空間５内への入室の有無は、ドアセンサや人体検知センサによって検知することができる。また、大便器３の着座部１への着座の有無は、着座検知センサによって検知することができる。
【００８０】
ステップS４０２において、混雑検知装置５００によって個室空間５外の混雑状況が検知された場合（ステップS４０２、Yes）、制御装置４００は使用者をリラックス状態または覚醒状態に導くための制御モードを実行することを禁止する。このとき、報知装置６００を用いて個室空間５内の使用者に個室空間５外が混雑していることを報知してもよい。
【００８１】
その一方で、ステップS４０２において、混雑検知装置５００によって、個室空間５外の混雑状況が検知されなかった場合（ステップS４０２、No）、次のステップS４０３に移行し、制御装置４００は、使用者をリラックス状態または覚醒状態に導くための制御モードを選択することを許可する。なお、ステップS４０３における制御モードの選択は、使用者によって入力された制御を実行する手動操作であっても、着座検知などを起点に、予めプログラムされた制御を実行する自動操作であっても良い。あるいは時間帯等の所定条件に応じて対応する制御モードが自動的に決定されるものであっても良い。
【００８２】
制御装置４００は、ステップS４０３において選択された制御に関する情報を送信し、報知装置は、個室空間５内部、及び個室空間５外部に対して、選択された制御に関する情報を報知する（ステップS４０４）。
【００８３】
ステップS４０３において選択された制御がリラックス制御４２０であった場合、制御装置４００はリラックス制御４２０を実行する（ステップS４０５〜ステップS４１１）。なお、リラックス制御４２０において、制御装置４００が第１の照明装置２００、第２の照明装置２２０及び映像出力装置３００を制御することで実行する、照明リラックス制御４２２及び映像リラックス制御４２４の制御フローについては、図５で後述する。
【００８４】
また、ステップS４０３において選択された制御が覚醒制御４４０であった場合、制御装置４００は覚醒制御４４０を実行する（ステップS４１２〜ステップS４１８）。なお、覚醒制御４４０において、制御装置４００が第１の照明装置２００、第２の照明装置２２０及び映像出力装置３００を制御することで実行する、照明覚醒制御４４２及び映像覚醒制御４２４の制御フローについては、図６で後述する。
【００８５】
リラックス制御４２０または覚醒制御４４０を実行中に、混雑検知装置５００によって、個室空間５外の混雑状況が検知された場合（ステップS４０６またはステップS４１３、Yes）、制御装置４００は、リラックス制御４２０または覚醒制御４４０の実行期間を短縮するよう制御する（ステップS４０７またはステップS４１４）。
【００８６】
また、リラックス制御４２０または覚醒制御４４０を実行中に、使用者による停止ボタンへの入力操作が検知された場合（ステップS４０８またはステップS４１５、Yes）、制御装置４００は、リラックス制御４２０または覚醒制御４４０の実行を強制終了する（ステップS４１１またはステップS４１８）。
【００８７】
また、リラックス制御４２０または覚醒制御４４０を実行中に、着座部１からの離座が所定時間検知された場合（ステップS４０９またはステップS４１６、Yes）、制御装置４００は、リラックス制御４２０または覚醒制御４４０の実行を強制終了する（ステップS４１１またはステップS４１８）。着座検知センサを用いた使用者による着座部１への検知は、使用者が姿勢を変えること等によって１秒程度の時間に亘って離座と検知されてしまうことがある。そのため、所定時間とは、例えば５秒程度の時間を設定することが好ましい。
【００８８】
リラックス制御４２０または覚醒制御４４０を実行してから所定時間経過していない場合、（ステップS４１０またはステップS４１７、No）、制御装置４００は、リラックス制御４２０または覚醒制御４４０を実行し続ける。
【００８９】
ステップS４０３において選択された制御がリフレッシュ制御４６０であった場合、制御装置４００はリフレッシュ制御４６０を実行する（ステップS４１９〜ステップS４２４）。リフレッシュ制御４６０は、前述したように、リラックス制御４２０を実行した後（ステップS４２１〜ステップS４２１）、覚醒制御４４０を実行する（ステップS４２２〜ステップS４２３）。
【００９０】
そして、制御装置４００は、リラックス制御４２０、覚醒制御４４０またはリフレッシュ制御４６０の実行を終了すると同時に（ステップS４１１、ステップS４１８またはステップS４２４）、報知装置６００による個室空間５内、及び個室空間５外部に対する報知を終了する。（ステップS４２５）。
なお、図４では図示しないが、使用者による停止ボタンの操作や誤作動等によって制御が強制終了された場合、再度制御モードの選択を行うようにステップS４０３に戻るように設定してもよい。この場合には、あらたに選択された制御に対応して個室空間５内部または個室空間５外部への報知が実行される（S４０４）。
【００９１】
最後に、使用者による個室空間５からの退室が検知されることで、使用者による一回の個室空間５の利用に伴う、制御装置４００による制御が終了する（ステップS４２６）。
【００９２】
図５は、実施形態に係るトイレ空間の環境制御システムにおいて、制御装置が実行するリラックス制御の一例を示すフローチャートである。
図６は、実施形態に係るトイレ空間の環境制御システムにおいて、制御装置が実行する覚醒制御の一例を示すフローチャートである。
以下、図５および図６を参照しつつ、実施形態に係るトイレ空間の環境制御システムにおけるリラックス制御および覚醒制御の制御フローを説明する。
【００９３】
入力操作または自動操作によって、リラックス制御４２０または覚醒制御４４０を実行することが選択されたとき（ステップS５０１またはステップS６０１）、制御装置４００は、選択された制御に対応する制御指示を第１の照明装置２００及び第２の照明装置２２０に送信し、照明リラックス制御４２２を実行する（ステップS５０２またはステップS６０２）。
【００９４】
そして、第１の照明装置２００及び第２の照明装置２２０の照度または色温度が、選択された制御において予め規定された所定の照度または色温度に至った場合（ステップS５０３またはステップS６０３、Yes）、制御装置４００は、ステップS５０１またはステップS６０１において選択された制御に対応する制御指示を映像出力装置３００に送信し、映像リラックス制御４２４または映像覚醒制御４４４を実行する（ステップS５０４またはステップS６０４）。
【００９５】
その後、制御装置４００は、所定期間に亘って、第１の照明装置２００及び第２の照明装置２２０と、映像出力装置３００とによる、照明リラックス制御４２２と映像リラックス制御４２４とを実行する期間を重複させる複合リラックス制御４２６、または、照明覚醒制御４４２と映像覚醒制御４４４とを実行する期間を重複させる複合覚醒制御４４６を実行する（ステップS５０５またはステップS６０５）。
【００９６】
そして、複合リラックス制御４２６または複合覚醒制御４４６を実行してから所定時間経過した場合（ステップS５０５またはステップS６０５、Yes）、制御装置４００は、映像出力装置３００に停止指示を送信し、映像リラックス制御４２２または映像覚醒制御４４２を停止する（ステップS５０６またはステップS６０６）。
【００９７】
さらに、制御装置４００は、第１の照明装置２００及び第２の照明装置２２０にも停止指示を送信し、照明リラックス制御４２２または照明覚醒制御４４２を停止する（ステップS５０７またはステップS６０７）。これにより、制御装置４００は、リラックス制御４２０または覚醒制御４４０を終了する（ステップS５０８またはステップS６０８）。
【００９８】
図７、図８、図９は、実施形態に係るトイレ空間の環境制御システムにおいて、制御装置が実行するリラックス制御、覚醒制御、リフレッシュ制御のタイムチャートの一例を示す図である。以下、図７〜図９を参照しつつ、実施形態に係るトイレ空間の空間制御システムにおけるリラックス制御、覚醒制御、リフレッシュ制御のタイムチャートを説明する。
【００９９】
始めに、図７を用いてリラックス制御４２０のタイムチャートについて説明する。
【０１００】
使用者によるトイレ空間への入室が自動で検知されたとき、または、使用者がトイレ空間の照明をOFFからONにする入力操作を行ったとき、個室空間５に設けられた第１の照明装置２００は平常時の照度および色温度で点灯する（ｔ０）。このときの平常時の照度および色温度は、例えば、１６０Lx（ルクス）および色温度４０００K（ケルビン）である。
【０１０１】
次に、自動操作または手動操作に基づいてリラックス制御４２０の実行を開始するとき、制御装置４００は、第１の照明装置２００及び第２の照明装置２２０の照度または色温度を制御し、個室空間５内の照度または色温度を低下させる照明リラックス制御４２２の実行を開始する（ｔ１）。このとき、第１の照明装置２００及び第２の照明装置２２０によって低下された個室空間５内の照度および色温度は、例えば、６０〜１６０Lx（ルクス）および色温度２７００〜４０００K（ケルビン）の範囲に収まるように設定される。
【０１０２】
そして、照明リラックス制御４２２の実行期間が予めプログラムされた所定期間を経過したとき、又は照明リラックス制御４２２によって低下された個室空間５内の照度または色温度が自動操作または手動操作に基づいて設定された照度または色温度に至ったとき、制御装置４００は、映像出力装置３００を制御し、暖色系などの低い色温度の映像や、人に安らぎや平穏といった精神生理的反応を引き起こす効果がある映像を出力する映像リラックス制御４２４を開始する（ｔ２）。このとき、映像出力装置３００が出力する映像は、例えば、森の映像などである。
【０１０３】
その後、制御装置４００は、予めプログラムされた所定期間にわたって、照明リラックス制御４２２及び映像リラックス制御４２４を実行する期間を重複させて行う複合リラックス制御４２６を実行する（ｔ２〜ｔ３）。この期間においては、第１の照明装置２００、第２の照明装置２２０、及び映像出力装置３００による複数の異なる視覚刺激が連動するため、照明と映像による相乗効果を得ることが可能となる。そのため、照明リラックス制御４２２又は映像リラックス制御４２４を実行している期間よりも使用者の生体を効果的に鎮静化させることが可能となる。このとき、複合リラックス制御４２６は、例えば、５分間にわたって実行される。
【０１０４】
なお、照明リラックス制御４２２が実行された直後（ｔ１〜ｔ２）は、制御装置４００が第１の照明装置２００及び第２の照明装置２２０の照度または色温度を変更している期間中であるため、個室空間５内の視覚刺激は一定に保たれていない。このとき、映像出力装置３００を制御して映像リラックス制御４２４の実行を開始したとしても、使用者は第１の照明装置２００及び第２の照明装置２２０によって個室空間５内の照度または色温度が変更されていることに気を取られてしまい、照明と映像による相乗効果を得ることができないおそれがある。そのため、複合リラックス制御４２６は、個室空間５内の照度または色温度が一定に保たれている期間（ｔ２〜ｔ３）に実行することが好ましい。
【０１０５】
そして、予めプログラムされた所定期間経過後、制御装置４００は、第１の照明装置２００、第２の照明装置２２０、及び映像出力装置３００に対して各制御の停止指示を送信する（ｔ３）。その後、個室空間５内の照度または色温度が、平常時の照度または色温度に至ることで、制御装置４００によるリラックス制御４２０は終了する（ｔ４）。
【０１０６】
次に、図８を用いて覚醒制御４４０のタイムチャートについて説明する。なお、ｔ０の制御はリラックス制御４２０と同様の制御内容であるため、説明を省略する。
【０１０７】
自動操作または手動操作に基づいて覚醒制御４４０の実行を開始するとき、制御装置４００は第１の照明装置２００及び第２の照明装置２２０の照度または色温度を制御し、個室空間５内の照度または色温度を上昇させる照明覚醒制御４４２の実行を開始する（ｔ１）。このとき、第１の照明装置２００及び第２の照明装置２２０によって上昇された個室空間５内の照度および色温度は、例えば、１６０〜４００Lx（ルクス）および色温度４０００K〜４８００K（ケルビン）の範囲に収まるように設定される。
【０１０８】
そして、照明覚醒制御４４２の実行期間が予めプログラムされた所定期間を経過したとき、又は照明覚醒制御４４２によって上昇された個室空間５内の照度または色温度が自動操作または手動操作に基づいて設定された照度または色温度に至ったとき、制御装置４００は、映像出力装置３００を制御し、寒色系などの高い色温度の映像や、人に緊張や不安、あるいは好奇心や探求心といった精神生理的反応を引き起こす効果がある映像を出力する映像覚醒制御４４４を開始する（ｔ２）。このとき、映像出力装置３００が出力する映像は、例えば、海の映像などである。
【０１０９】
その後、制御装置４００は、予めプログラムされた所定期間にわたって、照明覚醒制御４４２及び映像覚醒制御４４４を実行する期間を重複させて行う複合覚醒制御４４６を実行する（ｔ２〜ｔ３）。この期間においては、第１の照明装置２００、第２の照明装置２２０、及び映像出力装置３００による複数の異なる視覚刺激が連動するため、相乗効果を得ることが可能となる。そのため、照明覚醒制御４４２又は映像覚醒制御４４４を実行している期間よりも使用者の生体を効果的に活性化させることが可能となる。このとき、複合覚醒制御４４６は、例えば、５分間にわたって実行される。
【０１１０】
なお、照明覚醒制御４４２が実行された直後（ｔ１〜ｔ２）は、制御装置４００が第１の照明装置２００及び第２の照明装置２２０の照度または色温度を変更している期間中であるため、個室空間５内の視覚刺激は一定に保たれていない。このとき、映像出力装置３００を制御して映像覚醒制御４４４の実行を開始したとしても、使用者は第１の照明装置２００及び第２の照明装置２２０によって個室空間５内の照度または色温度が変更されていることに気を取られてしまい、照明と映像による相乗効果を得ることができないおそれがある。そのため、複合覚醒制御４４６は、個室空間５内の照度または色温度が一定に保たれている期間（ｔ２〜ｔ３）に実行することが好ましい。
【０１１１】
そして、予めプログラムされた所定期間経過後、制御装置４００は、第１の照明装置２００、第２の照明装置２２０、及び映像出力装置３００に対して各制御の停止指示を送信する（ｔ３）。その後、個室空間５内の照度または色温度が、平常時の照度または色温度に至ることで、制御装置４００による覚醒制御４４０は終了する（ｔ４）。
【０１１２】
最後に、図９を用いてリフレッシュ制御４６０のタイムチャートについて説明する。なお、ｔ０の制御はリラックス制御４２０及び覚醒制御４４０と同様の制御内容であるため、説明を省略する。
【０１１３】
自動操作または手動操作に基づいてリフレッシュ制御４６０の実行を開始するとき、制御装置４００は第１の照明装置２００及び第２の照明装置２２０の照度または色温度を制御し、個室空間５内の照度または色温度を低下させる照明リラックス制御４２２の実行を開始する（ｔ１）。このとき、第１の照明装置２００及び第２の照明装置２２０によって低下された個室空間５内の照度および色温度は、例えば、６０〜１６０Lx（ルクス）および色温度２７００〜４０００K（ケルビン）の範囲に収まるように設定される。
【０１１４】
なお、リフレッシュ制御４６０において、照明リラックス制御４２２または照明リラックス制御４２２を実行する場合、個室空間５内の照度をゼロにまで低下させないことが好ましい。個室空間５内の照度をゼロに近づけるほど視覚刺激が少なくなることにより生体を鎮静化させる効果を高めることができるが、その一方で使用者の睡眠欲求を高めてしまう。すると、リラックス制御４２０を実行した直後に覚醒制御４４０を実行したとしても、使用者を再び集中して作業を行うことが可能な覚醒状態にするまでに必要とする期間を短縮できないという課題が生じるためである。
【０１１５】
そして、照明リラックス制御４２２の実行期間が予めプログラムされた所定期間を経過したとき、又は照明リラックス制御４２２によって低下された個室空間５内の照度または色温度が自動操作または手動操作に基づいて設定された照度または色温度に至ったとき、制御装置４００は、映像出力装置３００を制御し、暖色系などの低い色温度の映像や、人に安らぎや平穏といった精神生理的反応を引き起こす効果がある映像を出力する映像リラックス制御４２４を開始する（ｔ２）。このとき、映像出力装置３００が出力する映像は、例えば、森の映像などである。
【０１１６】
その後、制御装置４００は、予めプログラムされた所定期間にわたって、照明リラックス制御４２２及び映像リラックス制御４２４を実行する期間を重複させて行う複合リラックス制御４２６を実行する（ｔ２〜ｔ３）。このとき、複合リラックス制御４２６は、例えば、３．５分間にわたって実行される。
【０１１７】
そして、複合リラックス制御４２６を実行してから所定期間経過後、制御装置４００は、映像出力装置３００に対して映像リラックス制御４２４の停止指示を送信する（ｔ３）。同時に、制御装置４００は第１の照明装置２００及び第２の照明装置２２０の照度または色温度を制御し、個室空間５内の照度または色温度を上昇させる照明覚醒制御４４２の実行を開始する。
【０１１８】
なお、リフレッシュ制御４６０において、照明リラックス制御４２２の実行期間中に、映像覚醒制御４４４を実行してしまうと、個室空間５内の照度と映像出力装置３００が出力する映像の照度との照度差が大きくなることにより、使用者が強すぎる視覚刺激を受けてしまうおそれがある。そのため、制御装置４００は、照明リラックス制御４２２の実行期間中においては、映像覚醒制御４４４を実行しないように制御することが好ましい。
【０１１９】
そして、照明覚醒制御４４２の実行期間が予めプログラムされた所定期間を経過したとき、又は照明覚醒制御４４２によって上昇された個室空間５内の照度または色温度が予めプログラムされた照度または色温度に至ったとき、制御装置４００は、映像出力装置３００を制御し、寒色系などの高い色温度の映像や、人に緊張や不安、あるいは好奇心や探求心といった精神生理的反応を引き起こす効果がある映像を出力する映像覚醒制御４４４を開始する（ｔ４）。このとき、第１の照明装置２００及び第２の照明装置２２０によって上昇された個室空間５内の照度および色温度は、例えば、１６０〜４００Lx（ルクス）および色温度４０００K〜４８００K（ケルビン）の範囲に収まるように設定される。また、映像出力装置３００が出力する映像は、例えば、海の映像などである。
【０１２０】
なお、リフレッシュ制御４６０において、照明覚醒制御４４２を実行する場合、照明覚醒制御４４２を実行しているときの個室空間５内の照度を、リフレッシュ制御４６０を実行する前の平常時の個室空間５内の照度よりも大きくなるように制御することが好ましい。つまり、平常時の個室空間５内の照度＜照明覚醒制御４４２時の個室空間５内の照度にすることが好ましい。これによって、一度鎮静化させた使用者の生体を活性化させ、短期間で再び集中して作業を行うことが可能な覚醒状態にすることができる。
【０１２１】
さらに言えば、リフレッシュ制御４６０において、照明リラックス制御４２２と照明覚醒制御４４２を実行する場合、リフレッシュ制御４６０を実行する前の平常時の個室空間５内の照度と照明リラックス制御４２２を実行しているときの個室空間５内の照度との差である第１の照度差よりも、リフレッシュ制御４６０を実行する前の平常時の個室空間５内の照度と照明覚醒制御４４２を実行しているときの個室空間５内の照度との差である第２の照度差の方が大きくなるように制御することが好ましい。つまり、第１の照度差（平常時の個室空間５内の照度−照明リラックス制御４２２時の個室空間５内の照度）＜第２の照度差（照明覚醒制御４４２時の個室空間５内の照度−平常時の個室空間５内の照度）にすることが好ましい。これによって、一度鎮静化させた使用者の生体を活性化させ、短期間で再び集中して作業を行うことが可能な覚醒状態にすることができる。
【０１２２】
その後、制御装置４００は、予めプログラムされた所定期間にわたって、照明覚醒制御４４２及び映像覚醒制御４４４を実行する期間を重複させて行う複合覚醒制御４４６を実行する（ｔ４〜ｔ５）。このとき、複合覚醒制御４４６は、例えば、１．５分間にわたって実行される。
【０１２３】
なお、リフレッシュ制御４６０における複合覚醒制御４４６の実行期間は、リフレッシュ制御４６０を実行する前の平常時の個室空間５内の照度と照明リラックス制御４２２を実行しているときの個室空間５内の照度との差である第１の照度差に、照明リラックス制御４２２を実行している期間を乗算した結果であるリラックス刺激値よりも、照明リラックス制御４２２を実行しているときの個室空間５内の照度と照明覚醒制御４４２を実行しているときの個室空間５内の照度との差である第３の照度差に、照明覚醒制御４４２を実行している期間を乗算した結果である覚醒刺激値の方が大きくなるように制御することが好ましい。つまり、リラックス刺激値（第１の照度差×照明リラックス制御４２２の実行期間）＜覚醒刺激値（第３の照度差×照明覚醒制御４４２の実行期間）にすることが好ましい。これによって、一度鎮静化させた使用者の生体を活性化させ、短期間で再び集中して作業を行うことが可能な覚醒状態にすることができる。
【０１２４】
さらに言えば、リフレッシュ制御４６０において、複合覚醒制御４４６の実行期間の長さが、複合リラックス制御４２６の実行期間以下の長さなるように制御することが好ましい。つまり、複合リラックス制御４２６の実行期間≧複合覚醒制御４４６の実行期間とすることが好ましい。
【０１２５】
生体を活性化する効果のある覚醒制御４４０は、使用者に対する視覚刺激を大きくする制御であるため生体が即座に反応するのに対して、生体を鎮静化させる効果のあるリラックス制御４２０は生体が緩慢に反応する。そのため、比較的長い期間を必要とするリラックス制御４２０にかける期間を長くすることで、使用者の生体を短期間且つ効果的に鎮静化させた後、リラックス刺激値＜覚醒刺激値となるように使用者に視覚刺激を与えることで、短期間で再び集中して作業を行うことが可能な覚醒状態にすることができる。
【０１２６】
そして、予めプログラムされた所定期間経過後、制御装置４００は、第１の照明装置２００、第２の照明装置２２０、及び映像出力装置３００に対して各制御の停止指示を送信する（ｔ５）。その後、第１の照明装置２００及び第２の照明装置２２０の照度または色温度が、平常時の照度または色温度に至ることで、制御装置４００によるリフレッシュ制御４６０は終了する（ｔ６）。
【０１２７】
図１０は、第１実施例に係るトイレ空間の環境制御システムにおいて、個室空間内に設置される第１の照明装置及び第２の照明装置の拡大図である。
図１１は、第２実施例に係るトイレ空間の環境制御システムにおいて、個室空間内に設置される第１の照明装置及び第２の照明装置の拡大図である。
図１２は、第３実施例に係るトイレ空間の環境制御システムにおいて、個室空間内に設置される第１の照明装置及び第２の照明装置の拡大図である。
以下、図１０及び図１２を参照しつつ、実施例にかかる、個室空間内に設置される第１の照明装置及び第２の照明装置について説明する。
【０１２８】
図１０に示したように、第１実施例において、第１の照明装置２００及び第２の照明装置２２０は、個室空間５の天井や壁面、または大便器３の後方に配置されるライニングユニットの内部に埋め込まれている。埋め込むことによって光の指向性が得られ、指向性を得るためのシーリングカバーが不要となる。シーリングカバーが不要となることで、照明装置を設置するために必要なスペースを少なくすることができるため、単位面積当たりの照明装置の設置数を増やすことが可能となる。
【０１２９】
図１１に示したように、第２実施例において、第１の照明装置２００及び第２の照明装置２２０は、個室空間５の天井や壁面、または大便器３の後方に配置されるライニングユニットの表面に配置されている。これによって、シーリングカバーの形状を変えることで、狙った場所に光を到達させることが可能となる。
【０１３０】
図１２に示したように、第３実施例において、第１の照明装置２００及び第２の照明装置２２０は、そのレンズが集光可能な形状となっている。レンズの形状を変えることで、光の指向性を調節可能であるため、シーリングカバーが不要であり、且つ、狙った場所に光を到達させることが可能である。レンズの形状としては、例えば、ドーム形状や非球面形状にすることで上述した効果を達成することが可能となる。
【０１３１】
図１３は、実施形態に係るトイレ空間の環境制御システムの実証試験において、映像出力装置が個室空間内に出力する映像の高さ位置に対する視認性についてアンケートを行った実証試験現場の概念図である。
図１４は、実施形態に係るトイレ空間の環境制御システムの実証試験において、映像出力装置が個室空間内に出力する映像の高さ位置に対する視認性についてのアンケート結果である。
以下、図１３および図１４を参照しつつ、映像出力装置を設置するために適切な位置について説明する。
【０１３２】
図１３に示したように、本件発明者らは、実証試験の環境として、映像出力装置３００を設置した個室空間５を用意し、個室空間５に設置した大便器３の先端から約８００ｍｍ離れた、大便器３の前方に設けられた個室空間５の壁面である扉に映像出力装置３００であるモニター（幅×高さ：２６４ｍｍ×２００ｍｍ）を設置した。そして、そのモニターを設置する個室空間５の床面からの高さ位置を変更しながら、映像出力装置３００が個室空間５内に出力する映像に対する視認性についてアンケートを行った。
【０１３３】
本実証試験では、大便器３の着座部１に着座したときの男性と女性の座高の平均高さである、個室空間５の床面から１１５０ｍｍと１１００ｍｍの高さを出力する映像の中心とし、それぞれ５５０ｍｍもしくは５００ｍｍの高さから１３５０ｍｍと１３００ｍｍの高さまで、２００ｍｍ毎に映像を出力する高さ位置を変更しながら男女それぞれ１０人、計２０人に対してアンケートを行った。
【０１３４】
アンケートでは、「非常に見づらい（１）」、「見づらい（２）」、「やや見づらい（３）」、「普通（４）」、「やや見やすい（５）」、「見やすい（６）」、「非常に見やすい（７）」の７段階に分けて視認性に対する感想を被験者に伺った。
【０１３５】
本件発明者らは、アンケート結果から得られた被験者毎の点数に対して、標準化を行った数値を用いて視認性に対する評価を行った。
具体例を挙げると、例えば、Aさん（男性）の場合、床面からの高さ位置５５０ｍｍに対して評価「１」、高さ位置７５０ｍｍに対して評価「２」、高さ位置９５０ｍｍに対して評価「７」、高さ位置１１５０ｍｍに対して評価「２」、高さ位置１３５０ｍｍに対して評価「１」という評価であった。この評価値に対して標準化を行い、床面からの高さ位置５５０ｍｍに対して評価「−０．６３７５」、高さ位置７５０ｍｍに対して評価「−０．２３９」、高さ位置９５０ｍｍに対して評価「１．７５３」、高さ位置１１５０ｍｍに対して評価「−０．２３９」、高さ位置１３５０ｍｍに対して評価「−０．６３７５」というように変換した数値を用いた。
【０１３６】
そして、図１４に示したように、男女それぞれ１０人の評価値に対して標準化を行った数値を平均化したプロット点に対して、上側の近似線と下側の近似線を描いた。その結果、男性の近似線が交差したのは、個室空間５の床面から約９５０ｍｍの位置であった。また、女性の近似線が交差したのは、個室空間５の床面から約１０００ｍｍの高さであった。
本実証試験において個室空間５の壁面である扉に設置したモニターの大きさは、高さ方向に２００ｍｍであったため、男女の近似線の交差点から上下１００ｍｍの幅を持たせた、８５０ｍｍから１１００ｍｍの間に映像を出力することで視認性が高まることが判明した。
【符号の説明】
【０１３７】
１・・・着座部
３・・・大便器
５・・・個室空間
７・・・仕切り部
１００・・・トイレ空間の環境制御システム
２００・・・第１の照明装置
２２０・・・第２の照明装置
２３０・・・光源
３００・・・映像出力装置
４００・・・制御装置
４２０・・・リラックス制御
４２２・・・照明リラックス制御
４２４・・・映像リラックス制御
４４０・・・覚醒制御
４４２・・・照明覚醒制御
４４４・・・映像覚醒制御
４６０・・・リフレッシュ制御
５００・・・混雑検知装置
６００・・・報知装置
【図１】
2020077608.tif 000003
【図２】
2020077608.tif 000004
【図３】
2020077608.tif 000005
【図４】
2020077608.tif 000006
【図５】
2020077608.tif 000007
【図６】
2020077608.tif 000008
【図７】
2020077608.tif 000009
【図８】
2020077608.tif 000010
【図９】
2020077608.tif 000011
【図１０】
2020077608.tif 000012
【図１１】
2020077608.tif 000013
【図１２】
2020077608.tif 000014
【図１３】
2020077608.tif 000015
【図１４】
2020077608.tif 000016
【図１５】
2020077608.tif 000017